(57)【要約】【課題】筆記具の作業性を改善することを目的とするものである。【解決手段】先端側にペン先部２４を備えた筆記具本体２と、不使用時にペン先部２４を覆うとともに使用時に筆記具本体２の尾端側に接続可能なキャップ３とからなる筆記具１であって、前記筆記具本体は、ペン先部２４の近傍に設けられた把持領域２ａを備え、前記キャップ３は、筆記具本体２の尾端側に接続した状態で、少なくとも周囲の外形よりも細く設けられた細径領域３ｂを備え、前記筆記具本体２の尾端側にキャップ３を接続しないで、掌に包み込んで握った態様で筆記するときに、前記把持領域２ａに指の先端部を添え得るように構成され、かつ、前記筆記具本体２の尾端側にキャップ３を接続し、通常の持ち手で握った態様で筆記するときに、前記把持領域２ａに指の先端部を添え得るとともに、前記細径領域３ｂに親指及び人差し指の各付け根間を結ぶ手の縁部を添え得るように構成されている。【選択図】図１
2004122507.tif 000002
【特許請求の範囲】
【請求項１】
先端側にペン先部を備えた筆記具本体と、不使用時にペン先部を覆うとともに使用時に筆記具本体の尾端側に接続可能なキャップとからなる筆記具であって、
前記筆記具本体は、ペン先部の近傍に設けられた把持領域を備え、
前記キャップは、筆記具本体の尾端側に接続した状態で、少なくとも周囲の外形よりも細く設けられた細径領域を備え、
前記筆記具本体の尾端側にキャップを接続しないで、掌に包み込んで握った態様で筆記するときに、前記把持領域に指の先端部を添え得るように構成され、かつ、前記筆記具本体の尾端側にキャップを接続し、通常の持ち手で握った態様で筆記するときに、前記把持領域に指の先端部を添え得るとともに、前記細径領域に親指及び人差し指の各付け根間を結ぶ手の縁部を添え得るように構成されていることを特徴とする筆記具。
【請求項２】
前記把持領域は、筆記具本体の先端側に向かって暫次軸径が細くなる部分を有していることを特徴とする請求項１記載の筆記具。
【請求項３】
前記細径領域は、くびれ状に設けられていることを特徴とする請求項１又は２記載の筆記具。
【請求項４】
前記筆記具本体は、太鼓状に設けられていることを特徴とする請求項１、２及び３記載の筆記具。
【請求項５】
前記筆記具本体の尾端側に前記キャップを接続したときに、前記筆記具本体と前記キャップは連続的な曲面をなす形状に設けられていることを特徴とする請求項１、２、３及び４記載の筆記具。
【請求項６】
前記筆記具は、ホワイトボード用マーカーであることを特徴とする請求項１、２、３、４及び５記載の筆記具。
【発明の詳細な説明】
【０００１】
【発明の属する技術分野】
本発明は、筆記具に関する。詳しくは、主にホワイトボードなどの略垂直面に筆記する際に好適に用いられる筆記具に関する。
【０００２】
【従来の技術】
従来より、ホワイトボードなどのほぼ垂直面に筆記する場合に用いられるものとして、例えば、特許文献１に示されるように、先端側にペン先部を備えた筆記具本体と、不使用時にペン先部を覆うキャップとからなるホワイトボード用マーカーが知られている。このものは、消しカスが溜まっているホワイトボードのチョーク受けにマーカーを置いてしまった場合でも、マーカーの軸表面に消しカスを付きにくくして、次にマーカーを使用する場合でも手や指が消しカスの中の着色剤によって汚れてしまわないようにすることができるとともに、ペン芯において分離することがなく、即座に筆記することができる新規なマーカーを提供することを目的としたもので、筆記具本体の尾端側に環状突起を設け、チョーク受けに置いたときに該マーカーの中心線が前方に傾斜するようにしている。又、筆記具本体の尾端及びキャップの先端を半球状に形成し、マーカーを立てて置くことができないようにしているので、着色剤、樹脂および添加剤が溶剤と分離してしまうことがないため、すぐに筆記できるというものである。
【０００３】
一方、掌に包み込んで握った態様で筆記する筆記具として、例えば、特許文献２に示されるようなものが知られている。このものは、手指が不自由な場合であっても、容易に使用することが可能な筆記具を提供することを目的としたもので、筆記具本体を曲面形状に形成するとともにペン先部を筆記具本体に対し傾斜させて延出させて設けている。
【０００４】
【特許文献１】特開平８−１９７８８４号公報
【特許文献２】実用新案登録第３０５８７７６号公報
【０００５】
【発明が解決しようとする課題】
しかしながら、前述した特許文献１に開示される筆記具にあっては、通常の持ち手で握った態様で筆記するときに、以下の要因によって、長時間筆記した際の疲労感を増大するという不都合がある。すなわち、筆記は、前記筆記具本体の先端側を親指，人差し指及び中指で摘みながら、手首の軽いスナップによって、筆記具本体に微小な往復回転運動を筆記具に与えることにより行う。この際、親指及び人差し指の各付け根間を結ぶ手の縁部には、前記筆記具本体が接触し、これによって、筆記具は、やや傾斜した状態で、先端側の摘んだ部分と前記手の縁部との二箇所で支持されることになる。ここで、当該手の縁部は複雑な面形状をなしている一方、筆記具本体は単純な面形状をなしているため、これら手の縁部と筆記具本体は安定的に支持し辛い。従って、筆記時において、前記手の縁部に筆記具本体が密着しにくくなり、そこでの筆記具の支持をしっかり行うことができず、前記筆記具本体を摘む部分に荷重が集中する他、筆記具本体が適正方向以外にブレ易くなって、安定した往復回転運動の動作が得られなくなり、これらの要因が、長時間筆記した際の疲労感の増大をもたらす。又、筆記時に適性方向以外のブレが生じないとしても、実際の軸径と体感する軸径（以下、本明細書では「体感軸径」という）とは異なるものとなる。すなわち、筆記時おいて、筆記具本体に微小な往復回転運動を行わせるわけであるが、この回転運動により、体感軸径が増大することとなる。例えば、軸径がｒの筆記具を３０°傾けた場合、
ｒ＝実際の軸の半径
Ｒ＝体感軸の半径＝ｒ÷ｃｏｓ３０°＝ｒ×１．１５
つまり、体感軸径は実際の軸径よりも１．１５倍太くなるのである。このことは、密着性などの使用感に大きく影響を及ぼし、本発明者らの鋭意調査の結果によると、筆記具本体の手の縁部が添えられる部分は、細身で密着性が高い形状が好まれる傾向があることがわかっている。
【０００６】
ところで、ホワイトボードなどのほぼ垂直面に筆記する場合に、ホワイトボードの上側領域では、通常の持ち手で握った態様で筆記していても支障はないが、ホワイトボードの下側領域では、通常の持ち手で握った態様で筆記していると手首を折り曲げてもなお筆記し難く、中腰の姿勢で筆記作業を行うことになる。そして、長時間そのような筆記作業を行うと、腰に負担がかかり、腰痛の原因にもなってしまう。又、通常の持ち手で握った態様で筆記する場合に、ペン先部の近傍に指の先端部を添えて筆記する傾向があるが、その際に、手も板面に添えることとなり、例えばホワイトボードの場合であれば、板面のインクで掌を汚してしまう問題がある。そこで、前述した特許文献２に開示されるような、掌に包み込んで握った態様で筆記する筆記具の採用も考えられるが、このものは掌に包み込んで握った態様で筆記することしか想定されておらず、様々な筆記する状況に対応することは不可能である。
【０００７】
以上のような問題に鑑み、本発明は、このような筆記具の作業性を改善することを目的とするものである。
【０００８】
【課題を解決するための手段】
上述の問題を解決すべく、本発明の筆記具は、先端側にペン先部を備えた筆記具本体と、不使用時にペン先部を覆うとともに使用時に筆記具本体の尾端側に接続可能なキャップとからなる筆記具であって、
前記筆記具本体は、ペン先部の近傍に設けられた把持領域を備え、
前記キャップは、筆記具本体の尾端側に接続した状態で、少なくとも周囲の外形よりも細く設けられた細径領域を備え、
前記筆記具本体の尾端側にキャップを接続しないで、掌に包み込んで握った態様で筆記するときに、前記把持領域に指の先端部を添え得るように構成され、かつ、前記筆記具本体の尾端側にキャップを接続し、通常の持ち手で握った態様で筆記するときに、前記把持領域に指の先端部を添え得るとともに、前記細径領域に親指及び人差し指の各付け根間を結ぶ手の縁部を添え得るように構成されている。
【０００９】
このようなものであれば、キャップを筆記具本体から取りはずし、掌に包み込んで握った態様で筆記すること及びキャップを筆記具本体の尾端側に接続し、通常の持ち手で握った態様で筆記することができるので、様々な筆記する状況に対応して、筆記具本体の握り態様を選択し、筆記することができる。又、通常の持ち手で握った態様で筆記することを選択したときに、親指と人差し指の各付け根間を結ぶ手の縁部が添えられる部分が細径となっているので、体感軸径を抑制することができ、良好な使用感を得ることができる。尚、本発明の細径領域の細径という概念は、その部位の断面における外縁を円形状にし、その円の径が細径であるということに限定されるものではなく、外縁が円形状以外の場合に、その部位の断面における外縁すべてを包含する仮想円を描いたとき、その仮想円の径が細径であることを含む。
【００１０】
前記把持領域が、筆記具本体の先端側に向かって暫次軸径が細くなる部分を有しているものであれば、通常の持ち手で握った態様で筆記するときにあっては、把持領域を摘む親指、人差し指及び中指を無理に曲げることなく、筆記具本体を支持できるので、無駄な力をかけることなく、筆記に伴う疲労を軽減することができる。又、掌に包み込んで握った態様で筆記するときにあっては、把持領域を摘む指を無理に曲げることなく、掌で卵を包む込むように筆記具本体を掌に包み込んで握ることができるので、無駄な力をかけることがなく筆記できる。
【００１１】
キャップに設けられる細径領域の具体的な構造としては、くびれ状に設けられていることが挙げられる。このようにすることで、密着性が高まり、安定した筆記動作を得ることができる。又、キャップでペン先部を覆っている状態から使用するためにキャップを外すとき、指掛かりとしても利用できる。
【００１２】
掌に包み込んで握りやすい具体的な構造としては、前記筆記具本体を太鼓状に設けることが挙げられる。
【００１３】
更に筆記し易い具体的な構造としては、筆記具本体の尾端部に前記キャップを接続したときに、前記筆記具本体と前記キャップは連続的な曲面をなす形状に設けられていることが挙げられる。
【００１４】
特に、筆記具がホワイトボード用マーカーであれば、ホワイトボードに筆記する際に、筆記面の上側領域では、通常の持ち手で握った態様で筆記し、筆記面の下側領域では、掌に包み込んで握った態様で筆記するなど、多様な筆記態様を求められても対応することができる。
【００１５】
尚、本明細書において、位置もしくは方向を示す用語である「先」とは、特に明記しない限り、筆記具の筆記面に近い側に用いられ、「尾」とは、その軸方向の反対側について用いられる。
【００１６】
【発明の実施の形態】
以下、本発明の一実施形態について図面を参照して説明する。図１ないし図５に示すものは、本実施形態に係る筆記具たるホワイトボード用マーカー１である。図１は本発明の一実施形態における筆記具を示す全体斜視図であり、図２は同実施形態における筆記具本体２を示す平面図であり、図３は同実施形態におけるキャップを示す断面図である。又、図４は同実施形態における筆記具を通常の持ち手で握った態様で筆記するときの状態を説明する斜視図であり、図５は同実施形態における筆記具を掌に包み込んで握った態様で筆記するときの状態を説明する斜視図である。
【００１７】
ホワイトボード用マーカー１は、略垂直面に設置されたホワイトボードに筆記する際に好適に用いられるもので、先端側にペン先部２４を備えた筆記具本体２と、不使用時にペン先部２４を覆うとともに使用時に筆記具本体２の尾端側に接続可能なキャップ３とを備えている。
【００１８】
筆記具本体２は、軸本体２１と、軸本体２１の尾端側に固定され、軸本体２１の尾端側を蓋封する尾栓２２と、軸本体２１の先端側に固定され、軸本体２１の先端側を蓋封する先栓２３と、先栓２３から導出されるペン先部２４とを備えている。
【００１９】
軸本体２１は、樹脂の射出成形により形成されるもので、外形が中央位置を最も膨出させ、先端側と尾端側で対称となる太鼓状の緩やかな曲線形状をなし、内部に空洞が設けられた胴体部２１０と、胴体部２１０の先端側に延出され、胴体部２１０の外形よりも小径に設けられ、胴体部２１０の空洞と連通させた空洞を有する筒状の延出部２１１とを備えている。そして、本実施形態では、ペン先部２４の近傍である胴体部２１０の先端側半分を把持領域２ａとしている。従って、把持領域２ａは、軸本体２１の胴体部２１０が太鼓状の緩やかな曲線形状をなしているので、胴体部２１０の先端側、すなわち、筆記具本体２の先端側に向かって暫次軸径が細くなるように設けられている。尚、筆記具本体２は、把持領域２ａに指を添え、掌に包み込んで握ったときに、すっぽりと納まる程度の大きさに設けられている。更に具体的には、本実施形態では、筆記具本体２の形状を略決定付ける胴体部２１０において、長さを５５ｍｍに設定するとともに、中央位置の直径を２６ｍｍに、又、端部位置の直径を２１ｍｍにそれぞれ設定している。又、軸本体２１の胴体部２１０に設けられる把持領域２ａは、先端側に向かって暫次軸径が細くなっているが、その軸径の減少度合いは、人の指が自然に添えられる程度に設定されている。更に具体的には、本実施形態では、把持領域２ａは、半径１５２．５ｍｍの円弧形状に設定している。
【００２０】
尾栓２２は、樹脂の射出成形により形成されるもので、底部が円形状をなす断面コ字型のカップ状のものであり、軸本体２１の空洞にカップ状の開口している側を向けて嵌合して固定される。尚、その嵌合の深さは、全体の２／３程度であり、よって、軸本体２１から全体の１／３程度は軸本体２１から突出させた状態で固定されている。尚、尾栓２２の外形は、胴体部２１０の端部位置の直径よりも僅かに小さい直径で底部を構成している。更に具体的には、本実施形態では、底部の直径を１８ｍｍに設定している。因みに、この尾栓２２が筆記具本体２１から突出する寸法は、筆記具本体２１の胴体部２１０の長さに対して、１／１０にも満たない。
【００２１】
先栓２３は、樹脂の射出成形により形成されるもので、一端側から他端側に連通する開口を有する漏斗形状のものであり、末広がりになっている側を前記延出部２１１に固着している。又、先細りになっている側は、中央にペン先部２４を導出し得るようにペン先部２４の外形に対応させた大きさの開口部が設けられ、当該開口部からペン先部２４を導出している。
【００２２】
ペン先部２４は、筆記具本体２の内部でインクを含浸させた中綿と該中綿を内装する筒状体とからなる図示しないインク貯留体と接続され、筆記の際に、随時インクが供給される構造になっている。従って、ペン先部２４が露出した状態では、インクが揮発するので、不使用時には、キャップ３でペン先部２４を覆うことで、インクの揮発を防ぐようにしている。
【００２３】
キャップ３は、樹脂の射出成形により形成されるものである。キャップ３の一端側には、端部の円周形状に沿って形成される第１の周壁部３１と第１の周壁部３１に囲われた第１の開口部３２が設けらている。そして、第１の開口部３２の内径は、筆記具本体２の尾端側に設けられた尾栓２２の外形と略等しくされ、開口の深さは、尾栓２２の筆記具本体２から突出した部分を格納できるよう設定されている。そして、尾栓２２の外面に嵌合させ、かつ、胴体部２１０の延出部２１１が設けられる側と反対側の端縁２１０ｓと当接して位置決め固定されるようになっている。従って、使用時には、筆記具本体２の尾端側にキャップ３を嵌合して接続できる。
【００２４】
キャップ３の他端側には、端部の円周形状に沿って形成される第２の周壁部３５と第２の周壁部３５に囲われた第２の開口部３６が設けらている。そして、第２の開口部３６の内径は、筆記具本体２の先端側に設けられた先栓２３の外形と略等しくされ、開口部の内部の形状は、筆記具本体２のペン先部２４を格納できるよう設定されている。そして、先栓２３の外面に嵌合させ、かつ、胴体部２１０の延出部が設けられる側の端縁２１０ｔと当接して位置決め固定されるようになっている。尚、前述した第１の開口部３２と第２の開口部３６とは、隔壁３９により分離されていて、第１の開口部３２と第２の開口部３６とが連通しない構造となっている。従って、不使用時には、インクの揮発を防ぐためにペン先部２４を覆うべく、筆記具本体２の先端側にキャップ３を嵌合できる。
【００２５】
又、キャップ３の外形は、中央位置を略最小径にし、一端側と他端側で対称形状となるくびれ状の緩やかな曲線形状をなしている。つまり、キャップ３は、その全体形状を鼓状に設けられている。又、本実施形態では、このくびれ状に設けられたキャップ３の中央位置を基準位置とし、その基準位置から一端側及び他端側へ延びるように、キャップ３の一端から他端にかけた全域を細径領域３ｂとして設定している。特に、本実施形態では、キャップ３の中央位置にある基準位置を中心として、キャップ３の一端から他端にかけた全域のうちの少なくとも２／３程度の領域が、細径領域として最も効果的に機能している。そして、キャップ３の軸心方向と直行するすべての断面における外縁の径は、その周囲に位置する最大外形、すなわち、筆記具本体２の胴体部２１０の軸心方向と直行する断面における外縁のうち最も大きい径よりも、細く設けられている。尚、本実施形態では、一端側から他端側に向かう軸心方向に直交する断面における外縁を円形状にしている。そして、キャップ３を筆記具本体２の尾栓２２の外面に嵌合させたとき、すなわち、キャップ３を筆記具本体２の尾端側に接続したときに、筆記具本体２と前記キャップ３は連続的な曲面をなす形状に設けられている。尚、この細径領域３ｂは、筆記具本体２の尾端側にキャップ３を接続したときに、筆記具本体２のペン先部２４近傍に設けられた把持領域２ａを親指，人差し指及び中指で摘んだ状態で、親指及び人差し指の各付け根間を結ぶ手の縁部を添えられる位置に設けられている。更に具体的には、本実施形態では、キャップ３の長さを２６ｍｍに設定し、その中央位置が最も細い径となるように構成されている。つまり、胴体部２１０の先端から細径領域３ｂのうち最も細い径となる部位までの距離は、５５ｍｍ＋２６ｍｍ／２＝６８ｍｍに設定されている。又、キャップ３の外形はくびれ状の緩やかな曲線形状をなしているが、そのくびれの度合いは、通常の持ち手で握った態様で筆記するときに、親指と人差し指の各付け根間を結ぶ手の縁部に密着感を与えられる程度に設定されている。更に具体的には、本実施形態では、キャップ３の外形は、半径７２．１ｍｍの円弧形状に設定することで、くびれ状の緩やかな曲線形状を形成している。更に、キャップの両端の直径は、筆記具本体と接続したときに連続した曲面をなすように、前述した胴体部２１０の端部位置の直径と等しくしている。つまり、キャップ両端の直径は、それぞれ２１ｍｍに設定している。
【００２６】
更に、キャップ３の一端側及び他端側に設けられた第１の周壁部３１及び第２の周壁部３５の端縁は、一端側から他端側に向かう軸線方向に直交するような平面を構成している。このようにしておくことで、いずれの側でも、筆記具本体２を接続した状態で、載置面に対して起立状態で載置させておくことができる。従って、例えば、インクがなくなりかけてきた場合、不使用時に筆記具本体２にキャップ３を装着し、キャップ３を下に向け、起立状態で載置させておけば、ペン先部２４の側にインクを収集でき、インクを最後まで中綿に停滞させることなく使い切ることが可能となる。
【００２７】
このように構成された筆記具の使用方法について説明する。
【００２８】
先ず、通常の持ち手で握った態様で筆記するときには、筆記具本体２からキャップ３を外し、筆記具本体２の尾端側にキャップ３を接続する。そして、筆記具本体２のペン先部２４の近傍に設けられた把持領域２ａを親指，人差し指及び中指で摘み、又、キャップ３に設けられた細径領域３ｂに親指及び人差し指の各付け根間を結ぶ手の縁部を添える。これによって、ホワイトボード用マーカー１は、やや傾斜した状態で、把持領域２ａを摘んだ部分と細径領域３ｂに添えられた前記手の縁部との二箇所で支持されることになる。このときに、把持領域２ａが筆記具本体２の先端側に向かって暫次軸径が細くなっていて、その部分に指の先端を当接させるので、指を必要以上に曲げることはない。又、細径領域３ｂがくびれ状になっているので、密着性が高く、安定した支持ができる。そして、このように握った状態で、手首の軽いスナップによって、筆記具本体２に微小な往復回転運動を与え、図示しないホワイトボードの筆記面に筆記する。
【００２９】
次に、掌に包み込んで握った態様で筆記するときは、筆記具本体２からキャップ３を外し、筆記具本体２のみの状態にする。そして、筆記具本体２の把持領域２ａに指の先端部分を添え、掌で卵を包む込むように筆記具本体２を掌に包み込んで握る。因みに、掌で卵を包み込むように握る態様は、人の掌で、ものを掴んで握るときの自然な握り形状であり、無駄な力をかけることがない。そして、このように筆記具本体２を握った状態で、手首の軽いスナップによって、ホワイトボードの筆記面に筆記する。
【００３０】
このように本実施形態のホワイトボード用マーカー１は、先端側にペン先部２４を備えた筆記具本体２と、不使用時にペン先部２４を覆うとともに使用時に筆記具本体２の尾端側に接続可能なキャップ３とからなり、前記筆記具本体２は、ペン先部２４の近傍に設けられた把持領域２ａを備え、前記キャップ３は、筆記具本体の尾端側に接続した状態で、周囲の外形よりも細く設けられた細径領域３ｂを備え、前記筆記具本体２の尾端側にキャップ３を接続しないで、掌に包み込んで握った態様で筆記するときに、前記把持領域２ａに指の先端部を添え得るように構成され、かつ、前記筆記具本体２の尾端側にキャップ３を接続し、通常の持ち手で握った態様で筆記するときに、前記把持領域２ａに指の先端部を添え得るとともに、前記細径領域３ｂに親指及び人差し指の各付け根間を結ぶ手の縁部を添え得るように構成されているので、キャップ３を筆記具本体２から取りはずし、掌に包み込んで握った態様で筆記すること及びキャップ３を筆記具本体２の尾端側に接続し、通常の持ち手で握った態様で筆記することができる。従って、様々な筆記する状況に対応して、筆記具本体２の握り態様を選択し、筆記することができる。又、通常の持ち手で握った態様で筆記することを選択したときに、親指と人差し指の各付け根間を結ぶ手の縁部が添えられる部分が細径となっているので、体感軸径を抑制することができ、良好な使用感を得ることができる。
【００３１】
前記把持領域２ａは、筆記具本体２の先端側に向かって暫次軸径が細くなっているので、通常の持ち手で握った態様で筆記するときにあっては、把持領域２ａを摘む親指、人差し指及び中指を無理に曲げることなく、筆記具本体２を支持できるので、無駄な力をかけることなく、筆記に伴う疲労を軽減することができる。又、掌に包み込んで握った態様で筆記するときにあっては、把持領域２ａを摘む指を無理に曲げることなく、掌で卵を包む込むように筆記具本体２を掌に包み込んで握ることができるので、無駄な力をかけることがなく筆記できる。
【００３２】
又、キャップ３に設けられる細径領域３ｂが、くびれ状に設けられているので、密着性が高く、安定した筆記動作を得ることができる。又、キャップ３でペン先部２４を覆っている状態から使用するためにキャップ３を外すとき、指掛かりとしても利用できる。
【００３３】
更に、前記筆記具本体２を太鼓状に設けているので、掌に包み込んで握った態様で筆記するのに都合良い。
【００３４】
又、筆記具本体２の尾端部に前記キャップ３を接続したときに、前記筆記具本体２と前記キャップ３は連続的な曲面をなす形状に設けられているので、手にひっかかることもなく使い勝手が良い。又、筆記具全体として流線的なデザインが施されており、使用者の嗜好を満足させ得る。
【００３５】
更に、本実施形態においては、本発明の筆記具がホワイトボード用マーカー１であるので、ホワイトボードに筆記する際に、筆記面の上側領域では、通常の持ち手で握った態様で筆記し、筆記面の下側領域では、掌に包み込んで握った態様で筆記するなど、多様な筆記態様を求められても対応することができる。
【００３６】
なお、本発明は以上に詳述した実施形態に限られるものではなくその趣旨を逸脱しない範囲で種々の変形が可能である。
【００３７】
本実施形態では、把持領域２ａを緩やかな曲線形状により、暫次軸径が細くなるように構成しているが、暫次軸径が細くなっている必要はないし、又、暫次軸径が細くなるようなものであっても、テーパー状の直線形状により構成されていても良い。尚、本実施形態では、太鼓状の形状をなす胴体部２１０の先端側半分を把持領域２ａとしているため、把持領域２ａの全長に渡って暫次軸径が細くなるように構成されていているが、前述したように暫次軸径が細くなっている必要はないし、又、暫次軸径が細くなるようなものであっても、全長に渡るのではなく部分的に暫次軸径が細くなっているようなものであっても良い。このように把持領域２ａの形状は、種々の形状のものを採用することができる。
【００３８】
又、本実施形態では、細径領域３ｂをくびれ状の緩やかな曲線形状により構成しているが、直線形状により構成しても良い。尚、本実施形態では、キャップの中央位置を最小径として、細径領域３ｂを構成しているが、筆記具本体２の尾端部分とキャップ３の筆記具本体２の尾端側に接続される側の部分とで、細径領域３ｂを構成し、最小径となる部位を筆記具本体２の側に設けていても良い。又、キャップ３を全長にわたり同径にしておき、かつ、その径を筆記具本体２の尾端の径より細いものにしておいても良い。このように、細径領域３ｂの形状は、筆記具本体２の尾端側に接続した状態で、少なくとも周囲の外形よりも細く設けられている部分を有する限りにおいて、種々の形状のものを採用することができる。
【００３９】
更に、本実施形態では、筆記具本体２を、軸本体２１と、尾栓２２と、先栓２３の３部材を組み合わせているが、本発明はこれに限定されるものではない。例えば、軸本体２１の構成を、胴体部２１０の最も膨出した中央位置で先端側の部材と尾端側の部材に分割し、尾端側の部材と尾栓２２とを一体成形により設けても良いし、先端側から尾端側に向かう軸線方向に直交する面で分割するのではなく、当該軸線方向に添う面で分割されていても良い。
【００４０】
又、本実施形態では、筆記具たるホワイトボード用マーカー１を筆記具本体２とキャップ３とで構成したが、図６に示すように、更に他のホワイトボード用マーカー１’の筆記具本体２００とキャップ３００を連らねて接続するようなものであっても良い。通常であれば、色違いのホワイトボード用マーカーが、ホワイトボードの粉受けに乱雑に置かれるが、このようにすることで、複数のホワイトボード用マーカーをまとめて置いておくことが可能になり、筆記作業を円滑に行うことができる。尚、この実施形態のものは、筆記具本体２とキャップ３とが一対で構成されているので、交換時には、その一対の筆記具本体２とキャップ３とを取り替えれば良い。
【００４１】
更に、図７に示すように、キャップ３を介して筆記具本体２と他の筆記具本体２００とを尾端側同士を対向させて接続し得るように構成されているものであっても良い。このものは、両端にペン先部２４が露出しているので、筆記具本体２と他の筆記具本体２００とを異なる色にしておけば、筆記の途中で色を変えるということも迅速に対応可能である。
【００４２】
更に、本実施形態では、本発明をホワイトボード用マーカー１に適用した例を図示説明したが、このような用途のものに限定されるものでもなく、又、マーカー以外のボールペン、繰り出し鉛筆等の他の筆記具であっても良い。
【００４３】
【発明の効果】
以上に詳述したように、本発明によれば、キャップを筆記具本体から取りはずし、掌に包み込んで握った態様で筆記すること及びキャップを筆記具本体の尾端側に接続し、通常の持ち手で握った態様で筆記することができるので、様々な筆記する状況に対応して、筆記具本体の握り態様を選択し、筆記することができる。
【００４４】
又、通常の持ち手で握った態様で筆記することを選択したときに、親指と人差し指の各付け根間を結ぶ手の縁部が添えられる部分が細径となっているので、体感軸径を抑制することができ、良好な使用感を得ることができる。
【図面の簡単な説明】
【図１】本発明の一実施形態における筆記具を示す全体斜視図。
【図２】同実施形態における筆記具本体を示す平面図。
【図３】同実施形態におけるキャップを示す断面図。
【図４】同実施形態における筆記具を掌に包み込んで握った態様で筆記するときの状態を説明する斜視図。
【図５】同実施形態における筆記具を通常の持ち手で握った態様で筆記するときの状態を説明する斜視図。
【図６】他の実施形態における筆記具を示す全体斜視図。
【図７】更に他の実施形態における筆記具を示す全体斜視図。
【符号の説明】
１…ホワイトボード用マーカー（筆記具）
２…筆記具本体
２１…軸本体
２１０…胴体部
２１１…延出部
２２…尾栓
２３…先栓
２４…ペン先部
２ａ…把持領域
３…キャップ
３１…第１の周壁部
３２…第１の開口部
３５…第２の周壁部
３６…第２の開口部
３９…隔壁
３ｂ…細径領域
【図１】
2004122507.tif 000003
【図２】
2004122507.tif 000004
【図３】
2004122507.tif 000005
【図４】
2004122507.tif 000006
【図５】
2004122507.tif 000007
【図６】
2004122507.tif 000008
【図７】
2004122507.tif 000009